(57)【要約】      （修正有）【課題】  確認された色再現可能な色に画像の色を変更する。【解決手段】  編集装置は、表示部及び複数種の印刷装置それぞれの色再現域を解析し、複数種の印刷装置それぞれが色再現可能な色それぞれに対応（略一致）する表示部用のＲＧＢデータを抽出して、所定のカラーパレットを編集する。その内の１つの印刷装置用カラーパレット２２２は、複数の異なる色の色見本２２４を有し、例えば色見本２２４に対して１１個の色域外シンボル２２６が付されている。図において、色域外シンボル２２６が付された色見本２２４は、印刷装置の色再現域外の色であることを示し、入力部などによって選択することができないようにされている。【選択図】          図５
2006148832.tif 000002
【特許請求の範囲】
【請求項１】
画像を出力する画像出力手段の色再現可能領域を解析する色再現領域解析手段と、この色再現領域解析手段が解析した結果を表示する表示手段とを有することを特徴とする画像編集支援システム。
【請求項２】
前記表示手段は、前記画像出力手段の色再現可能な範囲を表示することを特徴とする請求項１記載の画像編集支援システム。
【請求項３】
前記表示手段は、前記色再現領域解析手段が解析した結果をカラーパレットにより表示することを特徴とする請求項１又は２記載の画像編集支援システム。
【請求項４】
前記表示手段は、前記画像出力手段の色再現不可能な範囲を表示することを特徴とする請求項１乃至３いずれか記載の画像編集支援システム。
【請求項５】
画像を出力する画像出力手段の色再現可能領域を解析し、解析した結果を表示することを特徴とする画像編集支援方法。
【請求項６】
コンピュータを含む画像編集支援システムにおいて、画像を出力する画像出力手段の色再現可能領域を解析するステップと、解析した結果を表示するステップとを前記画像編集支援システムのコンピュータに実行させる画像編集支援プログラム。
【発明の詳細な説明】
【技術分野】
【０００１】
本発明は、画像の編集を支援する画像編集支援システム、画像編集支援方法及び画像編集支援プログラムに関するものである。
【背景技術】
【０００２】
ＣＲＴなどのモニタに表示された画像のＲＧＢデータを用いて画像を印刷する場合、印刷された画像の色がモニタで確認された画像の色と異なるために、印刷物の色がユーザの意図するものとは異なってしまうという問題があった。そこで、ＲＧＢデータを印刷用のＣＭＹＫデータに変換し、さらに印刷色シミュレーションデータに変換して、印刷物の画像の色を確認することは公知である（特許文献１参照）。また、印刷装置の色再現特性を、モニタ上の画像を確認しながら修正することは公知である（特許文献２参照）。また、特許文献３には、表示装置に画像を表示し、原画像に色合わせするように色調整を行なう方法が開示されている。
【０００３】
【特許文献１】特開２００３−３１９１９０号公報
【特許文献２】特開平１０−２７１３１９号公報
【特許文献３】特開平７−８７３４５号公報
【発明の開示】
【発明が解決しようとする課題】
【０００４】
しかしながら、上記従来例においては、編集画像を出力してみなければ印刷物の画像の色を確認することができず、印刷物の画像の色を確認しながら、色調整をしなければならないという問題があった。
【０００５】
そこで、本発明は、編集画像を出力することなく、画像出力手段の色再現可能領域を確認することができる画像編集支援システム、画像編集支援方法及び画像編集支援プログラムを提供することを目的とする。
【課題を解決するための手段】
【０００６】
上記目的を達成するため、本発明の第１の特徴とするところは、画像を出力する画像出力手段の色再現可能領域を解析する色再現領域解析手段と、この色再現領域解析手段が解析した結果を表示する表示手段とを有する画像編集支援システムにある。即ち、画像出力手段の色再現可能領域の解析結果を表示手段が表示するので、ユーザは、編集画像を出力することなく、画像出力手段の色再現可能領域を確認することができる。
【０００７】
好適には、前記表示手段は、前記画像出力手段の色再現可能な範囲を表示する。また、好適には、前記表示手段は、前記色再現領域解析手段が解析した結果をカラーパレットにより表示する。したがって、ユーザは、編集画像を出力することなく、画像出力手段の色再現可能な範囲を容易に確認することができる。
【０００８】
また、好適には、前記表示手段は、前記画像出力手段の色再現不可能な範囲を表示する。したがって、ユーザは、編集画像を出力することなく、画像出力手段の色再現不可能な範囲を確認することができる。
【０００９】
また、本発明の第２の特徴とするところは、画像を出力する画像出力手段の色再現可能領域を解析し、解析した結果を表示する画像編集支援方法にある。即ち、ユーザは、編集画像を出力することなく、表示された色再現可能領域の解析結果によって、画像出力手段の色再現可能領域を確認することができる。
【００１０】
また、本発明の第３の特徴とするところは、コンピュータを含む画像編集支援システムにおいて、画像を出力する画像出力手段の色再現可能領域を解析するステップと、解析した結果を表示するステップとを前記画像編集支援システムのコンピュータに実行させる画像編集支援プログラムにある。
【発明の効果】
【００１１】
本発明によれば、編集画像を出力することなく、画像出力手段の色再現可能領域を確認することができる。
【発明を実施するための最良の形態】
【００１２】
次に本発明の実施形態を図面に基づいて説明する。
図１において、本発明の実施形態に係る画像編集支援システム１の概要が示されている。画像編集支援システム１は、例えば編集装置２がネットワーク３を介して印刷装置４，５などの複数の画像出力装置に接続されることによって構成される。印刷装置４，５は、それぞれ異なる出力特性を有し、編集装置２の制御によって、用紙などの記録媒体にカラー画像を印刷する。例えば印刷装置４の色再現域は、印刷装置５の色再現域よりも広くなっている。
以下、画像編集支援システム１において、画像出力装置は印刷装置４，５の２台とした場合を具体例として説明する。
【００１３】
図２において、編集装置２の構成が示されている。
編集装置２は、例えばＰＣ（Personal Computer）などであり、入力部２０、表示部２２、記憶部２４、通信部２６及び編集装置本体２８から構成され、印刷装置４，５を制御する。入力部２０は、キーボード及びマウスなどの入力装置を有し、画像編集支援システム１に対するユーザの指示を受入れる。表示部２２は、ＣＲＴ表示装置又はＬＣＤ表示装置であり、編集装置２における処理結果、及び印刷装置４，５などから受入れた信号に対する表示を行なう。
【００１４】
記憶部２４は、画像編集支援システム１を構成する各部を制御するプログラム、複数のデータベース（図３を用いて後述）、画像編集支援システム１に対する設定及び編集装置２によって作成されたデータなどを記憶する。通信部２６は、ネットワーク３を介して印刷装置４，５と編集装置本体２８とを接続する。編集装置本体２８は、ＣＰＵ２８０及びメモリ２８２を有し、編集装置２を構成する各部を制御する。
【００１５】
次に、記憶部２４について詳述する。
図３は、記憶部２４の概要を示すメモリマップである。
図３に示すように、記憶部２４は、例えばプログラム領域２４２、プロファイルデータベース２４４、画像データベース２４６及びその他の記憶領域２４８に分けられている。
プログラム領域２４２は、編集装置２が印刷装置４，５などを制御するために必要なプログラムを記憶する。
【００１６】
プロファイルデータベース２４４は、例えば表示部２２が画像を表示するＲＧＢデータとＬ＊ａ＊ｂ＊値との変換テーブル（ＲＧＢ−Ｌ＊ａ＊ｂ＊変換テーブル）、印刷装置４が画像を印刷するＣＭＹＫデータとＬ＊ａ＊ｂ＊値との変換テーブル（第１のＣＭＹＫ−Ｌ＊ａ＊ｂ＊変換テーブル）、及び、印刷装置５が画像を印刷するＣＭＹＫデータとＬ＊ａ＊ｂ＊値との変換テーブル（第２のＣＭＹＫ−Ｌ＊ａ＊ｂ＊変換テーブル）などの画像編集支援システム１を構成する各部のデバイスプロファイルを記憶する。
【００１７】
画像データベース２４６は、例えばメモリカードなどの記憶媒体２４０を介して入力される画像データ（画像ファイル）及び通信部２６などから入力される画像データなどを記憶する。その他の記憶領域２４８は、画像編集支援システム１に対する設定及び編集装置２によって生成されたデータなどを記憶する。
【００１８】
図４において、画像編集支援プログラム６の構成が示されている。
画像編集支援プログラム６は、カラーパレット生成部６０、表示制御部６２、画像データ取得部６４及び色編集部６６を含み、図１に示した編集装置本体２８により実行される。
【００１９】
カラーパレット生成部６０は、プロファイル取得部６００、色再現域解析部６０２及びパレット画像編集部６０４から構成される。
プロファイル取得部６００は、表示部２２及び印刷装置４，５のデバイスプロファイルをプロファイルデータベース２４４から取得し、色再現域解析部６０２に対して出力する。
色再現域解析部６０２は、プロファイル取得部６００から受入れた各デバイスプロファイルを用いて、表示部２２及び印刷装置４，５それぞれの色再現域を解析し、印刷装置４，５それぞれが色再現可能な色それぞれに対応（略一致）する表示部２２用のＲＧＢデータを抽出して、パレット画像編集部６０４に対し出力する。
パレット画像編集部６０４は、印刷装置４，５それぞれに対して所定の色見本を配列したカラーパレット（色見本パレット）を設定し、色再現域解析部６０２によって抽出されたＲＧＢデータが対応する色見本が表示され、抽出されたＲＧＢデータがない色見本が色再現域外であることが示されるようにカラーパレットそれぞれを編集し、表示制御部６２に対して出力する。
【００２０】
表示制御部６２は、パレット画像編集部６０４から印刷装置４，５それぞれに対して編集されたカラーパレットを受入れ、入力部２０から入力された印刷装置を選択する指示に応じてカラーパレットを表示部２２を介して表示し、表示部２２によって表示されるカラーパレットの情報を後述する色編集指示生成部６６０に対して出力する。
【００２１】
図５は、表示部２２によって表示されるカラーパレット（色見本パレット）を例示する図であって、図５（Ａ）は印刷装置４用のカラーパレットであり、図５（Ｂ）は印刷装置５用のカラーパレットである。
図５（Ａ）に示すように、印刷装置４用カラーパレット２２０は、複数の異なる色の色見本２２４を有し、例えば４個の色見本２２４に対して色域外シンボル２２６が付されている。図５（Ａ）において、色域外シンボル２２６が付された色見本２２４は、印刷装置４の色再現域外の色であることを示し、入力部２０などによって選択することができないようにされている。
【００２２】
図５（Ｂ）に示すように、印刷装置５用カラーパレット２２２は、複数の異なる色の色見本２２４を有し、例えば１１個の色見本２２４に対して色域外シンボル２２６が付されている。図５（Ｂ）において、色域外シンボル２２６が付された色見本２２４は、印刷装置５の色再現域外の色であることを示し、入力部２０などによって選択することができないようにされている。このように、印刷装置５用カラーパレット２２２は、印刷装置５の色再現域が印刷装置４の色再現域よりも狭いので、入力部２０などによって選択することができない色が印刷装置４用カラーパレット２２０よりも多くなっている。
【００２３】
なお、印刷装置５よりも色再現域が広い印刷装置４の色再現域を基準にして、パレット画像編集部６０４が印刷装置４用のカラーパレットを設定することにより、印刷装置５用のカラーパレットは、印刷装置４用のカラーパレットに対して印刷装置５によって色再現できない色見本２２４に色域外シンボル２２６が付されたものにされてもよい。
【００２４】
また、表示制御部６２（図４）は、後述する画像データ取得部６４及び色編集部６６から入力される信号に応じて表示部２２を制御する。
【００２５】
画像データ取得部６４は、画像データベース２４６から画像データを取得し、表示制御部６２に対して出力する。
つまり、表示制御部６２は、入力部２０から入力される指示に応じて、画像データ取得部６４から受入れた画像データによる画像を、表示部２２を介して表示する。
【００２６】
色編集部６６は、色編集指示生成部６６０、判定部６６２、色変更部６６４及び警告生成部６６６から構成される。
色編集指示生成部６６０は、入力部２０から入力される画像の色の編集指示、及び、表示制御部６２から入力されるカラーパレットの情報に応じて、表示部２２に表示される画像の色を編集する指示を生成し、判定部６６２に対して出力する。なお、入力部２０から入力される画像の色の編集指示には、例えばマウスなどによって、画像の所定の領域及び色見本２２４が選択されることなどが含まれる。
【００２７】
判定部６６２は、色編集指示生成部６６０から受入れた指示の可否を色域外シンボル２２６の有無に応じて判定し、編集可である場合には色変更部６６４に対して色変更を指示する信号を出力し、編集不可の場合には警告生成部６６６に対して警告生成を指示する信号を出力する。例えば、色編集指示生成部６６０から受入れた指示が、色域外シンボル２２６を付された色見本２２４の色に画像の色を変更する指示である場合には編集不可と判定して、警告生成部６６６に対して警告生成を指示する信号を出力し、色域外シンボル２２６が付されていない色見本２２４の色に画像の色を変更する指示である場合には編集可と判定して、色変更部６６４に対して色変更を指示する信号を出力する。
【００２８】
色変更部６６４は、判定部６６２から色変更を指示する信号を受入れると、表示部２２に表示された画像の色が色変更を指示する信号に応じて変更されるように、表示制御部６２に対して指示信号を出力する。
【００２９】
警告生成部６６６は、判定部６６２から警告生成を指示する信号を受入れると、選択された印刷装置の色再現域外の色に変更する指示が生成されたことを表す警告を表示部２２が表示するように、表示制御部６２に対して指示信号を出力する。
【００３０】
次に、編集装置２が画像の編集開始の指示を受入れた場合に行なう処理について説明する。
図６は、編集装置２が画像の編集開始の指示を受入れた場合に行なう処理（Ｓ１０）を例示するフローチャートである。
図６に示すように、ステップ１００（Ｓ１００）において、編集装置２は、入力部２０から画像の編集開始の指示を受入れると、プロファイル取得部６００が表示部２２及び印刷装置４，５のデバイスプロファイルを取得し、色再現域解析部６０２に対して出力する。
【００３１】
ステップ１０２（Ｓ１０２）において、色再現域解析部６０２は、プロファイル取得部６００から受入れた各デバイスプロファイルを用いて、表示部２２及び印刷装置４，５それぞれの色再現域を解析し、印刷装置４，５それぞれが色再現可能な色それぞれに対応（略一致）する表示部２２用のＲＧＢデータを抽出して、パレット画像編集部６０４に対し出力する。
【００３２】
ステップ１０４（Ｓ１０４）において、パレット画像編集部６０４は、印刷装置４，５それぞれに対して所定の色見本を配列したカラーパレット（色見本パレット）を設定し、色再現域解析部６０２によって抽出されたＲＧＢデータが対応する色見本が表示され、抽出されたＲＧＢデータがない色見本が色再現域外であることが示されるようにカラーパレットそれぞれを編集し、表示制御部６２に対して出力する。
【００３３】
ステップ１０６（Ｓ１０６）において、表示制御部６２は、パレット画像編集部６０４から印刷装置４，５それぞれに対して編集されたカラーパレットを受入れ、入力部２０から入力された印刷装置を選択する指示に応じてカラーパレットを表示部２２を介して表示する。
【００３４】
ステップ１０８（Ｓ１０８）において、画像データ取得部６４は、画像データベース２４６から編集対象の画像データを取得し、表示制御部６２に対して出力する。
【００３５】
ステップ１１０（Ｓ１１０）において、表示制御部６２は、表示部２２を介して編集対象の画像を表示する。
【００３６】
ステップ１１２（Ｓ１１２）において、色編集指示生成部６６０は、入力部２０から入力される画像の色の編集指示、及び、表示制御部６２から入力されるカラーパレットの情報に応じて、表示部２２に表示される画像の色を変更する指示を生成し、判定部６６２に対して出力する。
【００３７】
ステップ１１４（Ｓ１１４）において、判定部６６２は、色編集指示生成部６６０から受入れた指示の可否を色域外シンボル２２６の有無に応じて判定し、編集可と判定した場合にはＳ１１６の処理に進み、編集不可と判定した場合にはＳ１１８の処理に進む。
【００３８】
ステップ１１６（Ｓ１１６）において、表示部２２は、色変更部６６４が出力した指示信号に応じて画像の色を変更する。
【００３９】
ステップ１１８（Ｓ１１８）において、表示部２２は、警告生成部６６６が出力した指示信号に応じて、選択された印刷装置の色再現域外の色に変更する指示が生成されたことを表す警告を表示する。
【図面の簡単な説明】
【００４０】
【図１】本発明の実施形態に係る画像編集支援システムの概要を示す構成図である。
【図２】編集装置の構成を示す構成図である。
【図３】記憶部の概要を示すメモリマップである。
【図４】画像編集支援プログラムの構成を示すプログラム構成図である。
【図５】表示部によって表示されるカラーパレット（色見本パレット）を例示する図である。
【図６】編集装置が画像の編集開始の指示を受入れた場合に行なう処理（Ｓ１０）を例示するフローチャートである。
【符号の説明】
【００４１】
１・・・画像編集支援システム
２・・・編集装置
２０・・・入力部
２２・・・表示部
２２０，２２２・・・印刷装置用カラーパレット
２２４・・・色見本
２２６・・・色域外シンボル
２４・・・記憶部
２４０・・・記憶媒体
２４２・・・プログラム領域
２４４・・・プロファイルデータベース
２４６・・・画像データベース
２４８・・・その他の記憶領域
２６・・・通信部
２８・・・編集装置本体
２８０・・・ＣＰＵ
３・・・ネットワーク
４，５・・・印刷装置
６・・・画像編集支援プログラム
６０・・・カラーパレット生成部
６００・・・プロファイル取得部
６０２・・・色再現域解析部
６０４・・・パレット画像編集部
６２・・・表示制御部
６４・・・画像データ取得部
６６・・・色編集部
６６０・・・色編集指示生成部
６６２・・・判定部
６６４・・・色変更部
６６６・・・警告生成部
【図１】
2006148832.tif 000003
【図２】
2006148832.tif 000004
【図３】
2006148832.tif 000005
【図４】
2006148832.tif 000006
【図５】
2006148832.tif 000007
【図６】
2006148832.tif 000008